(57)【特許請求の範囲】
【請求項１】
発光部及び受光部を有し、自装置における予め定められた状態変化の有無を検出する光センサーと、
前記自装置の動作モードが通常モードである場合は、前記受光部から入力される電気信号に基づいて予め定められた特定処理の実行の有無を制御し、前記自装置の動作モードが前記通常モードよりも消費電力が低減される省電力モードである場合に休止する第１制御部と、
前記自装置の動作モードが前記省電力モードである場合に、前記発光部を予め設定された間隔ごとに発光させる発光制御と、前記受光部による前記状態変化の検出を含む予め定められた遷移条件を充足する場合に前記自装置の動作モードを前記省電力モードから前記通常モードに遷移させる状態制御と、を実行する第２制御部と、
を備え、
前記第２制御部が、前記自装置の動作モードが前記省電力モードである場合に、前記受光部から入力される電気信号のうち前記発光部の発光タイミングで入力される電気信号に基づいて前記状態変化の有無を検出する検出処理部を含み、
前記検出処理部が、前記自装置の動作モードが前記通常モードから前記省電力モードに遷移した場合に、前記受光部から入力される電気信号に基づいて検出される前記自装置の状態を示す情報を記憶部に記憶させ、前記記憶部に記憶された前記情報と異なる状態を示す電気信号が前記受光部から入力された場合に前記状態変化を検出する画像処理装置。
【請求項２】
画像データに基づく画像を形成可能な画像形成部を更に備え、
前記第２制御部が、外部の通信装置との間でデータ通信を実行するネットワーク制御部であって、
前記遷移条件が、前記外部の通信装置からの前記画像形成部を用いた印刷処理の実行指示の受信を含む請求項１に記載の画像処理装置。
【請求項３】
前記遷移条件が、操作表示部に対する操作の検出を含む請求項１又は２に記載の画像処理装置。
【請求項４】
画像データに基づく画像を形成可能な画像形成部と、
前記自装置に対して着脱可能に設けられた給紙カセットと、
前記給紙カセットに収容されるシートを前記画像形成部に搬送するシート搬送部と、を更に備え、
前記状態変化が、前記自装置に対する前記給紙カセットの着脱状態の変化を含み、
前記特定処理が、前記シート搬送部及び前記画像形成部を用いた印刷処理を含む請求項１〜３のいずれかに記載の画像処理装置。
【請求項５】
原稿が載置される原稿載置部と、
前記原稿載置部に載置される原稿を搬送する原稿搬送部と、
前記原稿搬送部により搬送される原稿の画像を読み取り可能な画像読取部と、を更に備え、
前記状態変化が、前記原稿載置部における原稿の載置状態の変化を含み、
前記特定処理が、前記原稿搬送部及び前記画像読取部を用いた画像読取処理を含む請求項１〜４のいずれかに記載の画像処理装置。
【請求項６】
原稿載置面に載置される原稿の画像を読み取り可能な画像読取部と、
前記原稿載置面に対して開閉可能に設けられたカバー部材と、を更に備え、
前記状態変化が、前記カバー部材の開閉状態の変化を含み、
前記特定処理が、前記画像読取部を用いた事前読取処理を含む請求項１〜５のいずれかに記載の画像処理装置。
【発明の詳細な説明】
【技術分野】
【０００１】
本発明は、画像処理装置に関する。
【背景技術】
【０００２】
コピー機のような画像処理装置では、光センサーを用いて自装置の動作の制御が行われることがある。例えば、この種の画像処理装置では、光センサーによるＡＤＦ（自動原稿搬送装置）の原稿載置部における原稿の有無の検出結果に基づいて、前記ＡＤＦを用いた画像読取処理の実行の有無が制御される。
【０００３】
一方、動作モードを通常モードと通常モードより消費電力が低減される省電力モードとの間で切り替えることが可能な画像処理装置が知られている。例えば、この種の画像処理装置では、自装置に対する無操作状態が予め定められた時間継続した場合に、動作モードが前記通常モードから前記省電力モードに遷移する。また、この種の画像処理装置では、光センサーによりＡＤＦの原稿載置部における原稿の載置状態の変化等の自装置における予め定められた状態変化が検出された場合に、動作モードが前記省電力モードから前記通常モードに遷移することがある。ここで、動作モードが前記省電力モードである場合に、前記状態変化の検出に用いられる光センサーを間欠動作させることで、前記省電力モードにおける消費電力を低減可能な構成が知られている（例えば、特許文献１参照）。
【先行技術文献】
【特許文献】
【０００４】
【特許文献１】特開２００６−２４３２３８号公報
【発明の概要】
【発明が解決しようとする課題】
【０００５】
ところで、画像処理装置では、動作モードが前記通常モードである場合に光センサーを用いて自装置の動作を制御する第１制御部とは異なる第２制御部によって、動作モードが前記省電力モードである場合における光センサーを用いた前記通常モードへの状態制御が行われることがある。ここで、動作モードが前記省電力モードである場合における光センサーの発光制御が前記第１制御部によって行われる場合には、前記省電力モード時に前記第１制御部及び前記第２制御部の両方に給電を行う必要がある。
【０００６】
本発明の目的は、省電力モードにおける電力消費量を低減させることが可能な画像処理装置を提供することにある。
【課題を解決するための手段】
【０００７】
本発明に係る画像処理装置は、光センサーと、第１制御部と、第２制御部とを備える。前記光センサーは、発光部及び受光部を有し、自装置における予め定められた状態変化の有無を検出する。前記第１制御部は、前記自装置の動作モードが通常モードである場合は、前記受光部から入力される電気信号に基づいて予め定められた特定処理の実行の有無を制御し、前記自装置の動作モードが前記通常モードよりも消費電力が低減される省電力モードである場合に休止する。前記第２制御部は、前記自装置の動作モードが前記省電力モードである場合に、前記発光部を予め設定された間隔ごとに発光させる発光制御と、前記受光部による前記状態変化の検出を含む予め定められた遷移条件を充足する場合に前記自装置の動作モードを前記省電力モードから前記通常モードに遷移させる状態制御と、を実行する。
【発明の効果】
【０００８】
本発明によれば、省電力モードにおける電力消費量を低減させることが可能な画像処理装置が実現される。
【図面の簡単な説明】
【０００９】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置で実行される発光制御処理の一例を示すフローチャートである。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像処理装置１００の概略構成］
まず、図１及び図２を参照しつつ、本発明の実施形態に係る画像処理装置１００の概略構成について説明する。ここで、図１は画像処理装置１００の構成を示す断面模式図である。
【００１２】
図１及び図２に示すように、画像処理装置１００は、ＡＤＦ１、画像読取部２、画像形成部３、給紙部４、操作表示部５、通信部６、エンジン制御部７、ネットワーク制御部８、制御部９、及び電源部１０を備える。画像処理装置１００は、原稿から画像データを読み取るスキャン機能、及び画像データに基づいて画像を形成するプリント機能と共に、ファクシミリ機能、又はコピー機能などの複数の機能を有する複合機である。また、本発明は、スキャナー装置、プリンター装置、ファクシミリ装置、及びコピー機などの画像処理装置に適用可能である。
【００１３】
ＡＤＦ１は、図１に示すように、原稿載置部１１、複数の搬送ローラー１２、原稿押さえ１３、及び排紙部１４を備える自動原稿搬送装置である。また、ＡＤＦ１は、画像読取部２の原稿載置面２１１に対して開閉可能に支持されており、原稿載置面２１１に載置される原稿に対する原稿カバーを兼ねている。ＡＤＦ１では、搬送ローラー１２各々が不図示のモーターで駆動されることにより、原稿載置部１１に載置された原稿が画像読取部２による画像データの読取位置を通過して排紙部１４まで搬送される。また、ＡＤＦ１により搬送される原稿は、前記読取位置において原稿押さえ１３により原稿載置面２１１に向けて押さえつけられる。これにより、画像読取部２は、ＡＤＦ１により搬送される原稿から画像データを読み取ることが可能である。ここに、ＡＤＦ１が本発明における原稿搬送部の一例であると共に、カバー部材の一例である。
【００１４】
画像読取部２は、ＡＤＦ１により搬送される原稿又は原稿載置面２１１に載置される原稿から画像データを読み取ることが可能である。具体的に、画像読取部２は、図１に示すように、原稿台２１、読取ユニット２２、ミラー２３、ミラー２４、光学レンズ２５、及びＣＣＤ（Charge Coupled Device）２６を備える。
【００１５】
原稿台２１は、画像読取部２の上面に設けられており、原稿載置面２１１を備える。原稿載置面２１１は、原稿台２１に設けられた透光性を有するコンタクトガラスの上面であって、画像データの読取対象となる原稿が載置される。原稿載置面２１１では、予め定められた載置基準位置に合わせて各種サイズの原稿が載置される。
【００１６】
読取ユニット２２は、光源２２１及びミラー２２２を備え、ステッピングモーター等の駆動手段を用いた不図示の移動機構によって副走査方向（図１における左右方向）へ移動可能に構成されている。そして、前記駆動手段により読取ユニット２２が前記副走査方向に移動されると、光源２２１から原稿台２１上に照射される光が前記副走査方向に走査される。
【００１７】
光源２２１は、主走査方向（図１における奥行方向）に沿って配列された多数の白色ＬＥＤを備える。そして、光源２２１は、原稿台２１の原稿載置面２１１を透過させて原稿に前記主走査方向の１ライン分の白色光を照射する。光源２２１による光の照射位置が画像読取部２による画像データの前記読取位置であり、前記読取位置は読取ユニット２２の前記副走査方向の移動に伴って前記副走査方向に移動する。具体的に、読取ユニット２２は、原稿載置面２１１に載置された原稿から画像データを読み取る際には光源２２１の光が原稿載置面２１１を通過する位置に移動される。また、ＡＤＦ１によって搬送される原稿から画像データを読み取る際には、読取ユニット２２は光源２２１の光が原稿載置面２１１におけるＡＤＦ１の原稿押さえ１３と対向する位置に移動される。
【００１８】
ミラー２２２は、光源２２１から照射されて原稿台２１上の前記読取位置にある原稿の表面で反射した後の光をミラー２３に向けて反射させる。そして、ミラー２２２で反射した光は、ミラー２３、ミラー２４によって光学レンズ２５に導かれる。光学レンズ２５は、ミラー２４から入射した光を集光してＣＣＤ２６に入射させる。
【００１９】
ＣＣＤ２６は、受光した光をその光量に応じた電気信号（電圧）に変換し、画像データとして出力する光電変換素子を有するイメージセンサーである。そして、ＣＣＤ２６は、光源２２１から光が照射されたときに前記原稿から反射して入射する反射光に基づく電気信号を前記原稿の画像データとして制御部９に入力する。
【００２０】
画像形成部３は、画像読取部２で読み取られた画像データ又は外部のパーソナルコンピューター等の通信装置から入力された画像データに基づいて、電子写真方式で画像を形成する画像形成処理（印刷処理）を実行可能である。具体的に、画像形成部３は、図１に示すように、感光体ドラム３１、帯電器３２、光走査装置３３、現像器３４、転写ローラー３５、クリーニング装置３６、定着ローラー３７、及び加圧ローラー３８を備える。
【００２１】
給紙部４は、図１に示すように、給紙カセット４１、複数の搬送ローラー４２、及び排紙トレイ４３を備える。給紙カセット４１は、画像処理装置１００の筐体に対して着脱可能に設けられており、画像形成部３により画像が形成されるシートを収容する。なお、前記シートは、紙、コート紙、ハガキ、封筒、及びＯＨＰシートなどのシート材料である。給紙部４では、搬送ローラー４２各々が不図示のモーターで駆動されることにより、給紙カセット４１に収容されたシートが画像形成部３による画像形成位置を通過して排紙トレイ４３まで搬送される。ここに、給紙部４が、本発明におけるシート搬送部の一例である。
【００２２】
画像形成部３では、給紙部４から供給されるシートに以下の手順で画像が形成され、画像形成後の前記シートが排紙トレイ４３に排出される。
【００２３】
まず、帯電器３２によって感光体ドラム３１の表面が所定の電位に一様に帯電される。次に、光走査装置３３により感光体ドラム３１の表面に画像データに基づく光が照射される。これにより、感光体ドラム３１の表面に画像データに対応する静電潜像が形成される。そして、感光体ドラム３１上の静電潜像は現像器３４によってトナー像として現像（可視像化）される。なお、現像器３４には、画像形成部３に着脱可能なトナーコンテナ３４Ａからトナー（現像剤）が補給される。
【００２４】
続いて、感光体ドラム３１に形成されたトナー像は転写ローラー３５によってシートに転写される。その後、シートに転写されたトナー像は、そのシートが定着ローラー３７及び加圧ローラー３８の間を通過する際に定着ローラー３７で加熱されて溶融定着する。なお、感光体ドラム３１の表面に残存したトナーはクリーニング装置３６で除去される。
【００２５】
操作表示部５は、制御部９からの制御指示に応じて各種の情報を表示する液晶ディスプレーなどの表示部、及びユーザーの操作に応じて制御部９に各種の情報を入力する操作キー又はタッチパネルなどの操作部を有する。
【００２６】
通信部６は、外部の通信装置との間で有線又は無線によるデータ通信を実行可能な通信インターフェイスである。
【００２７】
電源部１０は、外部の商用電源から供給される電力を画像処理装置１００の各構成に供給する。例えば、電源部１０は、前記外部の商用電源から供給される交流電圧を直流電圧に変換するＡＣ−ＤＣコンバーターである。
【００２８】
エンジン制御部７は、ＡＤＦ１、画像読取部２、画像形成部３、及び給紙部４の動作を制御する。例えば、エンジン制御部７は、集積回路（ＡＳＩＣ、ＤＳＰ）などの電子回路で構成される。
【００２９】
ここで、画像処理装置１００には、自装置における予め定められた状態変化の有無を検出する複数の光センサーが設けられている。具体的に、画像処理装置１００は、図２に示すように、第１光センサー１５、第２光センサー２７、及び第３光センサー４４を備える。
【００３０】
第１光センサー１５は、ＡＤＦ１の原稿載置部１１上に設けられ、原稿載置部１１における原稿の載置状態の変化の有無を検出することが可能である。例えば、第１光センサー１５は、発光部１５Ａ及び受光部１５Ｂを有する反射型の光センサーである。例えば、第１光センサー１５では、原稿載置部１１に原稿が存在する場合に、発光部１５Ａから射出された光が原稿で反射されて受光部１５Ｂに照射される。一方、第１光センサー１５では、原稿載置部１１に原稿が存在しない場合に、発光部１５Ａから射出された光は受光部１５Ｂに照射されない。これにより、受光部１５Ｂは、原稿載置部１１における原稿の有無に応じた電気信号を出力する。受光部１５Ｂから出力される電気信号は、エンジン制御部７、及びネットワーク制御部８に入力される。なお、第１光センサー１５は、透過型の光センサーであってもよい。
【００３１】
第２光センサー２７は、画像読取部２の原稿台２１上に設けられ、ＡＤＦ１の原稿載置面２１１に対する開閉状態の変化の有無を検出することが可能である。例えば、第２光センサー２７は、第１光センサー１５と同様に発光部２７Ａ及び受光部２７Ｂを有する反射型の光センサーである。例えば、第２光センサー２７では、ＡＤＦ１が原稿載置面２１１に対して閉状態である場合に、発光部２７Ａから射出された光がＡＤＦ１で反射されて受光部２７Ｂに照射される。一方、第２光センサー２７では、ＡＤＦ１が原稿載置面２１１に対して開状態である場合に、発光部２７Ａから射出された光は受光部２７Ｂに照射されない。これにより、受光部２７Ｂは、ＡＤＦ１の原稿載置面２１１に対する開閉状態に応じた電気信号を出力する。受光部２７Ｂから出力される電気信号は、エンジン制御部７、及びネットワーク制御部８に入力される。なお、第２光センサー２７は、透過型の光センサーであってもよい。
【００３２】
第３光センサー４４は、給紙部４に設けられ、画像処理装置１００の筐体に対する給紙カセット４１の着脱状態を変化の有無を検出することが可能である。例えば、第３光センサー４４は、第１光センサー１５と同様に発光部４４Ａ及び受光部４４Ｂを有する反射型の光センサーである。例えば、第３光センサー４４では、画像処理装置１００の筐体に対して給紙カセット４１が装着されている場合に、発光部４４Ａから射出された光が給紙カセット４１で反射されて受光部４４Ｂに照射される。一方、第３光センサー４４では、画像処理装置１００の筐体に対して給紙カセット４１が装着されていない場合に、発光部４４Ａから射出された光は受光部４４Ｂに照射されない。これにより、受光部４４Ｂは、画像処理装置１００の筐体に対する給紙カセット４１の着脱状態に応じた電気信号を出力する。受光部４４Ｂから出力される電気信号は、エンジン制御部７、及びネットワーク制御部８に入力される。なお、第３光センサー４４は、透過型の光センサーであってもよい。
【００３３】
一方、エンジン制御部７は、前記自装置の動作モードが通常モードである場合は、受光部１５Ｂ、受光部２７Ｂ、及び受光部４４Ｂから入力される電気信号に基づいて予め定められた特定処理の実行の有無を制御する。ここに、エンジン制御部７が、本発明における第１制御部の一例である。
【００３４】
具体的に、エンジン制御部７は、図２に示すように、読取処理部７１、事前読取処理部７２、及び印刷処理部７３を備える。
【００３５】
読取処理部７１は、操作表示部５に対して原稿の画像を読み取る読取処理の実行操作が行われた場合に、ＡＤＦ１及び画像読取部２の各構成の動作を制御して、画像読取部２に原稿載置部１１に載置される原稿の画像を読み取る第１読取処理、又は原稿載置面２１１に載置される原稿の画像を読み取る第２読取処理を実行させる。
【００３６】
具体的に、読取処理部７１は、受光部１５Ｂから入力される電気信号に基づいて原稿載置部１１における原稿の存在を検出した場合に、ＡＤＦ１及び画像読取部２を制御して、画像読取部２に前記第１読取処理を実行させる。
【００３７】
一方、読取処理部７１は、受光部１５Ｂから入力される電気信号に基づいて原稿載置部１１における原稿の不存在を検出した場合に、画像読取部２を制御して、画像読取部２に前記第２読取処理を実行させる。ここに、前記第１読取処理及び前記第２読取処理が、本発明における特定処理の一例であると共に、画像読取処理の一例である。
【００３８】
事前読取処理部７２は、画像読取部２の各構成の動作を制御して、画像読取部２に原稿載置面２１１に載置される原稿の一部又は全部を読み取る事前読取処理を実行させる。例えば、前記事前読取処理で読み取られた原稿の一部又は全部の画像データは、原稿のサイズの検出、及び原稿がカラー原稿であるかモノクロ原稿であるかの判別等に用いられる。
【００３９】
具体的に、事前読取処理部７２は、受光部２７Ｂから入力される電気信号に基づいてＡＤＦ１の開状態から閉状態への切り替わりを検出した場合に、画像読取部２を制御して、画像読取部２に前記事前読取処理を実行させる。ここに、前記事前読取処理が、本発明における特定処理の一例である。
【００４０】
印刷処理部７３は、操作表示部５に対して原稿の画像を印刷する前記印刷処理の実行操作が行われた場合、又は前記外部の通信装置から画像データと共に前記印刷処理の実行指示が入力された場合に、画像形成部３及び給紙部４の各構成の動作を制御して、画像形成部３に前記印刷処理を実行させる。
【００４１】
具体的に、印刷処理部７３は、操作表示部５に対して前記印刷処理の実行操作が行われた場合に、読取処理部７１に前記第１読取処理又は前記第２読取処理を実行させる。そして、印刷処理部７３は、画像形成部３及び給紙部４を制御して、画像形成部３に前記第１読取処理又は前記第２読取処理で読み取られた原稿の画像データを印刷する前記印刷処理を実行させる。
【００４２】
一方、印刷処理部７３は、前記外部の通信装置から画像データと共に前記印刷処理の実行指示が入力された場合に、画像形成部３及び給紙部４を制御して、画像形成部３に前記外部の通信装置から入力された画像データを印刷する前記印刷処理を実行させる。
【００４３】
ここで、印刷処理部７３は、受光部４４Ｂから入力される電気信号に基づいて画像処理装置１００の筐体に対する給紙カセット４１の装着状態を検出した場合にのみ、前記印刷処理を実行する。即ち、印刷処理部７３は、画像処理装置１００の筐体に対する給紙カセット４１の非装着状態を検出した場合は、画像処理装置１００の筐体に対する給紙カセット４１の装着状態を検出するまでの間、前記印刷処理の実行を留保する。ここに、前記印刷処理が、本発明における特定処理の一例である。
【００４４】
ネットワーク制御部８は、前記外部の通信装置との間でデータ通信を実行することが可能である。具体的に、ネットワーク制御部８は、通信部６を制御して前記外部の通信装置との間でデータ通信を実行する。例えば、ネットワーク制御部８は、集積回路（ＡＳＩＣ、ＤＳＰ）などの電子回路で構成される。
【００４５】
制御部９は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部９では、前記ＣＰＵにより前記ＲＯＭに予め記憶された各種の制御プログラムが実行される。これにより、画像処理装置１００が制御部９により統括的に制御される。なお、制御部９は、集積回路（ＡＳＩＣ）などの電子回路で構成されたものであってもよく、画像処理装置１００を統括的に制御するメイン制御部とは別に設けられた制御部であってもよい。
【００４６】
また、制御部９は、図２に示すように、第１状態制御部９１を含む。具体的に、制御部９は、前記ＣＰＵを用いて前記ＲＯＭに記憶されている前記制御プログラムを実行する。これにより、制御部９は、第１状態制御部９１として機能する。
【００４７】
第１状態制御部９１は、予め定められた第１遷移条件を充足する場合に、前記自装置の動作モードを前記通常モードから前記通常モードより消費電力が低減される省電力モードに遷移させる。例えば、前記第１遷移条件には、操作表示部５に対する無操作状態が予め定められた時間継続することが含まれる。また、前記第１遷移条件に、操作表示部５に対する動作モードの変更操作が行われることが含まれていてもよい。
【００４８】
ところで、画像処理装置１００と同様の構成を備える従来の画像処理装置では、第１光センサー１５、第２光センサー２７、及び第３光センサー４４などの前記光センサーにより前記状態変化が検出された場合に、動作モードが前記省電力モードから前記通常モードに遷移することがある。ここで、動作モードが前記省電力モードである場合に、前記状態変化の検出に用いられる前記光センサーを間欠動作させることで、前記省電力モードにおける消費電力を低減可能な構成が知られている。
【００４９】
また、前記従来の画像処理装置では、動作モードが前記通常モードである場合に前記光センサーを用いて自装置の動作を制御するエンジン制御部７のような第１制御部とは異なる第２制御部によって、動作モードが前記省電力モードである場合における前記光センサーを用いた前記通常モードへの状態制御が行われることがある。ここで、動作モードが前記省電力モードである場合における前記光センサーの発光制御が前記第１制御部によって行われる場合には、前記省電力モード時に前記第１制御部及び前記第２制御部の両方に給電を行う必要がある。これに対し、本発明の実施形態に係る画像処理装置１００では、以下に説明するように、前記省電力モードにおける電力消費量を低減させることが可能である。
【００５０】
具体的に、第１状態制御部９１は、前記第１遷移条件を充足する場合に、電源部１０を制御して、電源部１０にエンジン制御部７を含む画像処理装置１００の各構成に対する給電を、ネットワーク制御部９を含む一部の構成を除いて停止させる。即ち、画像処理装置１００において、エンジン制御部７は、前記自装置の動作モードが前記通常モードよりも消費電力が低減される前記省電力モードである場合に、電源部１０からの給電の停止により休止する。
【００５１】
また、第１状態制御部９１は、ネットワーク制御部８に動作モードが前記省電力モードに遷移したことを通知する。そして、第１状態制御部９１は、画像処理装置１００の各構成に対する給電が停止した後に、電源部１０を制御して電源部１０に自己に対する給電を停止させる。
【００５２】
なお、第１状態制御部９１が、前記第１遷移条件を充足する場合に電源部１０にエンジン制御部７への給電を停止させず、エンジン制御部７が、前記第１遷移条件を充足する場合に自ら休止する構成が他の実施形態として考えられる。
【００５３】
一方、ネットワーク制御部８は、前記自装置の動作モードが前記省電力モードである場合に、発光部１５Ａ、発光部２７Ａ、及び発光部４４Ａを予め設定された間隔ごとに発光させる第２発光制御と、受光部１５Ｂ、受光部２７Ｂ、及び受光部４４Ｂによる前記状態変化の検出を含む予め定められた第２遷移条件を充足する場合に前記自装置の動作モードを前記省電力モードから前記通常モードに遷移させる状態制御と、を実行する。ここに、ネットワーク制御部８が、本発明における第２制御部の一例である。また、前記第２発光制御が、本発明における発光制御の一例である。また、前記第２遷移条件が、本発明における遷移条件の一例である。
【００５４】
具体的に、ネットワーク制御部８は、図２に示すように、第１発光制御部８１、第２発光制御部８２、検出処理部８３、及び第２状態制御部８４を備える。
【００５５】
第１発光制御部８１は、前記自装置の動作モードが前記通常モードである場合に、発光部１５Ａ、発光部２７Ａ、及び発光部４４Ａを常時発光させる第１発光制御を実行する。例えば、第１発光制御部８１は、電源部１０に予め定められた第１制御信号を入力して、電源部１０に発光部１５Ａ、発光部２７Ａ、及び発光部４４Ａに対する給電を実行させる。例えば、前記第１制御信号は、周期１００ｍｓ、デューティー比１００％のパルス信号である。なお、第１発光制御部８１は、エンジン制御部７又は制御部９に設けられていてもよい。
【００５６】
第２発光制御部８２は、前記自装置の動作モードが前記省電力モードである場合に、発光部１５Ａ、発光部２７Ａ、及び発光部４４Ａを前記間隔ごとに発光させる前記第２発光制御を実行する。例えば、第２発光制御部８２は、電源部１０に予め定められた第２制御信号を入力して、電源部１０に発光部１５Ａ、発光部２７Ａ、及び発光部４４Ａに対する前記間隔ごとの給電を実行させる。例えば、前記第２制御信号は、周期１００ｍｓ、デューティー比２％のパルス信号である。これにより、前記省電力モード時における発光部１５Ａ、発光部２７Ａ、及び発光部４４Ａでの電力消費量が、前記通常モード時と比較して５０分の１に抑制される。なお、前記間隔は、前記省電力モードの継続時間等に応じて変化するものであってもよい。
【００５７】
検出処理部８３は、前記自装置の動作モードが前記省電力モードである場合に、受光部１５Ｂ、受光部２７Ｂ、及び受光部４４Ｂから入力される電気信号に基づいて前記状態変化の有無を検出する。
【００５８】
例えば、検出処理部８３は、前記自装置の動作モードが前記通常モードから前記省電力モードに遷移した場合に、受光部１５Ｂから入力される電気信号に基づいて検出される原稿載置部１１における原稿の載置状態を示す載置状態情報を、ネットワーク制御部８の備えるレジスタ等の記憶部に記憶させる。そして、検出処理部８３は、前記記憶部に記憶された前記載置状態情報と異なる状態を示す電気信号が受光部１５Ｂから入力された場合に、前記状態変化を検出する。
【００５９】
また、検出処理部８３は、前記自装置の動作モードが前記通常モードから前記省電力モードに遷移した場合に、受光部２７Ｂから入力される電気信号に基づいて検出されるＡＤＦ１の開閉状態を示す開閉状態情報を、ネットワーク制御部８の備えるレジスタ等の記憶部に記憶させる。そして、検出処理部８３は、前記記憶部に記憶された前記開閉状態情報と異なる状態を示す電気信号が受光部２７Ｂから入力された場合に、前記状態変化を検出する。
【００６０】
また、検出処理部８３は、前記自装置の動作モードが前記通常モードから前記省電力モードに遷移した場合に、受光部４４Ｂから入力される電気信号に基づいて検出される給紙カセット４１の着脱状態を示す着脱状態情報を、ネットワーク制御部８の備えるレジスタ等の記憶部に記憶させる。そして、検出処理部８３は、前記記憶部に記憶された前記着脱状態情報と異なる状態を示す電気信号が受光部４４Ｂから入力された場合に、前記状態変化を検出する。
【００６１】
ここで、検出処理部８３は、受光部１５Ｂ、受光部２７Ｂ、及び受光部４４Ｂから入力される電気信号のうち、発光部１５Ａ、発光部２７Ａ、及び発光部４４Ａの発光タイミングで入力される電気信号に基づいて前記状態変化の有無を検出する。例えば、検出処理部８３は、電源部１０に入力される前記第２制御信号に基づいて、受光部１５Ｂ、受光部２７Ｂ、及び受光部４４Ｂから入力される電気信号のうち、発光部１５Ａ、発光部２７Ａ、及び発光部４４Ａの発光タイミングで入力される電気信号を抽出して、抽出された電気信号に基づいて前記状態変化の有無を検出する。
【００６２】
第２状態制御部８４は、受光部１５Ｂ、受光部２７Ｂ、及び受光部４４Ｂによる前記状態変化の検出を含む前記第２遷移条件を充足する場合に、前記自装置の動作モードを前記省電力モードから前記通常モードに遷移させる前記状態制御を実行する。
【００６３】
具体的に、第２状態制御部８４は、検出処理部８３により前記状態変化が検出された場合に、電源部１０を制御して、電源部１０に制御部９を含む画像処理装置１００の各構成に対する給電を再開させる。
【００６４】
ここで、前記第２遷移条件には、前記外部の通信装置からの前記印刷処理の実行指示の受信を含まれる。具体的に、第２状態制御部８４は、通信部６において前記外部の通信装置から前記印刷処理の実行指示を受信した場合に、電源部１０を制御して、電源部１０に制御部９を含む画像処理装置１００の各構成に対する給電を再開させる。
【００６５】
また、前記第２遷移条件には、操作表示部５に対する操作の検出が含まれる。具体的に、第２状態制御部８４は、操作表示部５に対する操作を検出した場合に、電源部１０に制御部９を含む画像処理装置１００の各構成に対する給電を再開させる。なお、操作表示部５は、前記省電力モード時において操作表示部５に対する操作があった場合に、その旨を示す電気信号を第２状態制御部８４に入力する。第２状態制御部８４は、操作表示部５から入力される操作表示部５に対する操作があった旨を示す電気信号が入力された場合に、操作表示部５に対する操作を検出する。
【００６６】
［発光制御処理］
以下、図３を参照しつつ、画像処理装置１００においてネットワーク制御部８により実行される発光制御処理の手順の一例について説明する。ここで、ステップＳ１、Ｓ２・・・は、ネットワーク制御部８により実行される処理手順（ステップ）の番号を表している。
【００６７】
＜ステップＳ１＞
まず、ステップＳ１において、ネットワーク制御部８は、発光部１５Ａ、発光部２７Ａ、及び発光部４４Ａを常時発光させる前記第１発光制御を実行する。ここで、ステップＳ１の処理は、ネットワーク制御部８の第１発光制御部８１により実行される。
【００６８】
例えば、ネットワーク制御部８は、電源部１０に前記第１制御信号を入力して、電源部１０に発光部１５Ａ、発光部２７Ａ、及び発光部４４Ａに対する給電を実行させる。なお、前記発光制御処理において、ステップＳ１の処理は省略されてもよい。
【００６９】
＜ステップＳ２＞
ステップＳ２において、ネットワーク制御部８は、前記自装置の動作モードが前記通常モードから前記省電力モードに遷移したか否かを判断する。例えば、ネットワーク制御部８は、制御部９の第１状態制御部９１から前記自装置の動作モードが前記通常モードから前記省電力モードに遷移したことを通知された場合に、動作モードが前記省電力モードに遷移したと判断する。
【００７０】
ここで、ネットワーク制御部８は、動作モードが前記省電力モードに遷移したと判断すると（Ｓ２のＹｅｓ側）、処理をステップＳ３に移行させる。また、動作モードが前記省電力モードに遷移していなければ（Ｓ２のＮｏ側）、ネットワーク制御部８は、ステップＳ２で動作モードが前記省電力モードに遷移するのを待ち受ける。
【００７１】
＜ステップＳ３＞
ステップＳ３において、ネットワーク制御部８は、受光部１５Ｂから入力される電気信号に基づいて検出される原稿載置部１１における原稿の載置状態を示す前記載置状態情報を、ネットワーク制御部８の備えるレジスタ等の前記記憶部に記憶させる。また、ネットワーク制御部８は、受光部２７Ｂから入力される電気信号に基づいて検出されるＡＤＦ１の開閉状態を示す前記開閉状態情報を前記記憶部に記憶させる。また、ネットワーク制御部８は、受光部４４Ｂから入力される電気信号に基づいて検出される給紙カセット４１の着脱状態を示す前記着脱状態情報を前記記憶部に記憶させる。ここに、ステップＳ３の処理は、ネットワーク制御部８の検出処理部８３により実行される。
【００７２】
＜ステップＳ４＞
ステップＳ４において、ネットワーク制御部８は、発光部１５Ａ、発光部２７Ａ、及び発光部４４Ａを前記間隔ごとに発光させる前記第２発光制御を実行する。ここで、ステップＳ４の処理は、ネットワーク制御部８の第２発光制御部８２により実行される。
【００７３】
例えば、ネットワーク制御部８は、電源部１０に前記第２制御信号を入力して、電源部１０に発光部１５Ａ、発光部２７Ａ、及び発光部４４Ａに対する前記間隔ごとの給電を実行させる。
【００７４】
＜ステップＳ５＞
ステップＳ５において、ネットワーク制御部８は、前記状態変化を検出したか否かを判断する。ここで、ステップＳ５の処理は、ネットワーク制御部８の検出処理部８３により実行される。
【００７５】
具体的に、ネットワーク制御部８は、前記記憶部に記憶された前記載置状態情報と異なる状態を示す電気信号が受光部１５Ｂから入力された場合に、前記状態変化を検出する。また、ネットワーク制御部８は、前記記憶部に記憶された前記開閉状態情報と異なる状態を示す電気信号が受光部２７Ｂから入力された場合に、前記状態変化を検出する。また、ネットワーク制御部８は、前記記憶部に記憶された前記着脱状態情報と異なる状態を示す電気信号が受光部４４Ｂから入力された場合に、前記状態変化を検出する。
【００７６】
ここで、ネットワーク制御部８は、電源部１０に入力される前記第２制御信号に基づいて、受光部１５Ｂ、受光部２７Ｂ、及び受光部４４Ｂから入力される電気信号のうち、発光部１５Ａ、発光部２７Ａ、及び発光部４４Ａの発光タイミングで入力される電気信号を抽出して、抽出された電気信号に基づいて前記状態変化の有無を検出する。これにより、発光部１５Ａ、発光部２７Ａ、及び発光部４４Ａの発光タイミング外において受光部１５Ｂ、受光部２７Ｂ、及び受光部４４Ｂから入力される外乱光の検出を示す電気信号に基づいて、ネットワーク制御部８が前記状態変化を誤検出することが回避される。
【００７７】
なお、ネットワーク制御部８は、前記第２制御信号に基づく抽出を行うことなく、受光部１５Ｂ、受光部２７Ｂ、及び受光部４４Ｂから入力される電気信号に基づいて前記状態変化の有無を検出してもよい。例えば、ネットワーク制御部８は、ステップＳ３で前記記憶部に記憶された前記載置状態情報が原稿載置部１１における原稿の不存在を示す場合は、受光部１５Ｂから原稿の載置を示す電気信号が入力された場合に、前記状態変化を検出する。また、ネットワーク制御部８は、ステップＳ３で前記記憶部に記憶された前記載置状態情報が原稿載置部１１における原稿の存在を示す場合は、受光部１５Ｂから前記間隔で入力される原稿の載置を示す電気信号が前記間隔を超えても入力されない場合に前記状態変化を検出する。
【００７８】
ここで、ネットワーク制御部８は、前記状態変化を検出したと判断すると（Ｓ５のＹｅｓ側）、処理をステップＳ８に移行させる。また、前記状態変化を検出していなければ（Ｓ５のＮｏ側）、ネットワーク制御部８は、処理をステップＳ６に移行させる。
【００７９】
＜ステップＳ６＞
ステップＳ６において、ネットワーク制御部８は、通信部６において前記外部の通信装置から前記印刷処理の実行指示を受信したか否かを判断する。
【００８０】
ここで、ネットワーク制御部８は、通信部６において前記外部の通信装置から前記印刷処理の実行指示を受信したと判断すると（Ｓ６のＹｅｓ側）、処理をステップＳ８に移行させる。また、通信部６において前記外部の通信装置から前記印刷処理の実行指示を受信していなければ（Ｓ６のＮｏ側）、ネットワーク制御部８は、処理をステップＳ７に移行させる。
【００８１】
＜ステップＳ７＞
ステップＳ７において、ネットワーク制御部８は、操作表示部５に対する操作を検出したか否かを判断する。例えば、ネットワーク制御部８は、操作表示部５から操作表示部５に対する操作があった旨を示す電気信号が入力された場合に、操作表示部５に対する操作を検出したと判断する。
【００８２】
ここで、ネットワーク制御部８は、操作表示部５に対する操作を検出したと判断すると（Ｓ７のＹｅｓ側）、処理をステップＳ８に移行させる。また、操作表示部５に対する操作を検出していなければ（Ｓ７のＮｏ側）、ネットワーク制御部８は、処理をステップＳ５に移行させて、前記状態変化の検出、前記印刷処理の実行指示の受信、又は操作表示部５に対する操作を待ち受ける。
【００８３】
＜ステップＳ８＞
ステップＳ８において、ネットワーク制御部８は、前記自装置の動作モードを前記省電力モードから前記通常モードに遷移させる前記状態制御を実行する。ここで、ステップＳ８の処理は、ネットワーク制御部８の第２状態制御部８４により実行される。
【００８４】
具体的に、ネットワーク制御部８は、電源部１０を制御して、電源部１０に制御部９を含む画像処理装置１００の各構成に対する給電を再開させる。
【００８５】
このように、画像処理装置１００では、動作モードが前記省電力モードである場合に、ネットワーク制御部８が、第１光センサー１５、第２光センサー２７、及び第３光センサー４４を用いた前記状態制御を実行すると共に、第１光センサー１５、第２光センサー２７、及び第３光センサー４４の前記第２発光制御を実行する。これにより、前記省電力モード時において、第１光センサー１５、第２光センサー２７、及び第３光センサー４４を用いて前記自装置の動作を制御するエンジン制御部７に対する給電を停止することが可能となり、省電力モードにおける電力消費量を低減させることが可能である。
【００８６】
また、画像処理装置１００では、前記第２発光制御を実行する第２発光制御部８２、及び前記状態制御を実行する第２状態制御部８４が、前記省電力モード時に前記外部の通信装置からのデータ通信を待ち受けるネットワーク制御部８に設けられている。これにより、第２発光制御部８２、及び第２状態制御部８４が他の制御主体に設けられる構成と比較して、省電力モード時に給電が必要な構成の数が低減されて、電力消費量をより低減させることが可能である。
【００８７】
また、画像処理装置１００では、ネットワーク制御部８の第２状態制御部８４が、操作表示部５に対する操作を検出した場合に、前記自装置の動作モードを前記省電力モードから前記通常モードに遷移させる。これにより、ネットワーク制御部８とは異なる他の制御主体が、操作表示部５に対する操作の検出に基づいて前記自装置の動作モードを前記省電力モードから前記通常モードに遷移させる構成と比較して、省電力モード時に給電が必要な構成の数が低減されて、電力消費量をより低減させることが可能である。
【００８８】
なお、ネットワーク制御部８の第１発光制御部８１、第２発光制御部８２、検出処理部８３、及び第２状態制御部８４が、制御部９に設けられる構成が他の実施形態として考えられる。この場合、前記発光制御処理のステップＳ６及びステップＳ７の処理は省略されてもよい。
【００８９】
また、画像処理装置１００において、第１光センサー１５、第２光センサー２７、及び第３光センサー４４のうちいずれか一つ又は二つは設けられていなくてもよい。また、画像処理装置１００において、前記光センサーは４つ以上設けられていてもよい。
【符号の説明】
【００９０】
１    ：ＡＤＦ
１１  ：原稿載置部
１５  ：第１光センサー
２    ：画像読取部
２１１：原稿載置面
２７  ：第２光センサー
３    ：画像形成部
４    ：給紙部
４１  ：給紙カセット
４４  ：第３光センサー
５    ：操作表示部
６    ：通信部
７    ：エンジン制御部
７１  ：読取処理部
７２  ：事前読取処理部
７３  ：印刷処理部
８    ：ネットワーク制御部
８１  ：第１発光制御部
８２  ：第２発光制御部
８３  ：検出処理部
８４  ：第２状態制御部
９    ：制御部
９１  ：第１状態制御部
１０  ：電源部
１００：画像処理装置
【図１】
0006365493.tif 000002
【図２】
0006365493.tif 000003
【図３】
0006365493.tif 000004